(57)【要約】【課題】緩衝部を有しない包装部材と比較して、被梱包物に加わる外力による衝撃を緩衝することができる包装部材を提供する。【解決手段】梱包箱に収容された被梱包物に装着されて被梱包物に加わる衝撃を緩衝する包装部材であって、いずれか一方が衝撃を受けない状態で被梱包物と一部が接触する状態で配置された第１保持部と、第２保持部と、第１保持部と第２保持部に連結され衝撃が加わった際に変形して衝撃を緩衝する緩衝部と、を備え、緩衝部は、第１保持部と第２保持部の間で被梱包物の装着方向と平行な方向でかつ被梱包物とは逆方向に延びるように設けられている。【選択図】図１０
2019089590.tif 000002
【特許請求の範囲】
【請求項１】
梱包箱に収容された被梱包物に装着されて前記被梱包物に加わる衝撃を緩衝する包装部材であって、
いずれか一方が衝撃を受けない状態で前記被梱包物と一部が接触する状態で配置された第１保持部と、
第２保持部と、
前記第１保持部と前記第２保持部に連結され衝撃が加わった際に変形して衝撃を緩衝する緩衝部と、を備えた、
ことを特徴とする包装部材。
【請求項２】
前記緩衝部は、前記第１保持部と前記第２保持部の間で前記被梱包物の装着方向と平行な方向でかつ前記被梱包物とは逆方向に延びるように設けられている、
ことを特徴とする請求項１に記載の包装部材。
【請求項３】
前記第１保持部及び前記第２保持部は、それぞれ前記被梱包物の装着方向における端部と向かい合う面を有し、前記緩衝部は前記面を繋ぐように設けられている、
ことを特徴とする請求項２に記載の包装部材。
【請求項４】
前記緩衝部は、前記面の全体ではなく一部分で接続するように設けられている、
ことを特徴とする請求項３に記載の包装部材。
【請求項５】
前記第１保持部及び前記第２保持部は、前記被梱包物の装着方向における前記被梱包物の一端との距離が異なるように設けられている、
ことを特徴とする請求項２に記載の包装部材。
【請求項６】
前記第２の保持部は、前記第１の保持部と比較して前記被梱包物の装着方向と交差する方向において外側を保持する保持部であって、前記第１保持部の前記面は前記被梱包物の装着方向における一端と接触し、前記第２保持部の前記面は前記被梱包物の装着方向における一端と接触していない、
ことを特徴とする請求項３に記載の包装部材。
【請求項７】
前記第２の保持部は、前記第１の保持部と比較して前記被梱包物の装着方向と交差する方向において外側を保持する保持部であって、前記第２保持部の前記面は前記被梱包物の装着方向における一端と接触し、前記第１保持部の前記面は前記被梱包物の装着方向における一端と接触していない、
ことを特徴とする請求項３に記載の包装部材。
【請求項８】
前記第２の保持部は、前記第１の保持部と比較して前記被梱包物の装着方向と交差する方向において外側を保持する保持部であって、前記第１保持部は前記被梱包物の装着方向と交差する方向で前記被梱包物と接触し、前記第２保持部は前記被梱包物の装着方向と交差する方向で前記被梱包物と接触していない、
ことを特徴とする請求項１ないし７のいずれか１項に記載の包装部材。
【請求項９】
前記緩衝部は、両端部が前記第１保持部及び第２保持部と接続して前記被梱包物とは反対側に前記被梱包物の装着方向に凸形状のブリッジを形成するように複数設けられている、
ことを特徴とする請求項１ないし７のいずれか１項に記載の包装部材。
【請求項１０】
前記凸状のブリッジは、前記被梱包物の装着方向に屈曲して略Ｕ字状に形成されている、
ことを特徴とする請求項９に記載の包装部材。
【請求項１１】
前記第２保持部は、その外形部が前記梱包箱の内面と嵌り合い、その中央部で前記被梱包物の装着方向と交差する方向で前記被梱包物と接触し、その外周部に近い側では前記被梱包物の装着方向と交差する方向で前記被梱包物と接触していない、
ことを特徴とする請求項１に記載の包装部材。
【請求項１２】
前記第１保持部は、前記被梱包物の装着方向と交差する方向に突出して前記被梱包物と接触する突起部を有する、
ことを特徴とする請求項１ないし１１のいずれか１項に記載の包装部材。
【請求項１３】
前記被梱包物の装着方向の衝撃が加わった際に、前記第１保持部及び前記第２保持部のいずれもが変形することで前記被梱包物に接触する、
ことを特徴とする請求項１ないし１２のいずれか１項に記載の包装部材。
【請求項１４】
前記被梱包物の装着方向と交差する方向の衝撃が加わった際に、前記第１保持部及び前記第２保持部のいずれもが変形することで前記被梱包物に接触する、
ことを特徴とする請求項１ないし１２のいずれか１項に記載の包装部材。
【請求項１５】
前記被梱包物は画像形成装置に装着される現像剤収容容器であり、前記第１保持部は、駆動力伝達手段が配置された前記現像剤収容容器の一端側のみを保持するとともに、前記現像剤収容容器の他端側は前記梱包箱で保持する、
ことを特徴とする請求項１ないし１４のいずれか１項に記載の包装部材。
【請求項１６】
前記第１保持部、前記第２保持部及び前記緩衝部は合成樹脂で一体で形成されている、
ことを特徴とする請求項１ないし１５のいずれか１項に記載の包装部材。
【発明の詳細な説明】
【技術分野】
【０００１】
本発明は、包装部材に関する。
【背景技術】
【０００２】
衝撃による破損を防止するための衝撃吸収用の緩衝材であって、素材に生分解性樹脂が用いられて発泡成形される緩衝材が知られている（特許文献１）。
【０００３】
機器本体を梱包する梱包部材において、機器本体の端部と係合する凹部を有する緩衝材と、凹部の少なくとも一部を覆うように緩衝材に固定された、弾性を有するシート材とを備え、機器本体の端部は、シート材を介して緩衝材の凹部に係合する梱包部材も知られている（特許文献２）
【先行技術文献】
【特許文献】
【０００４】
【特許文献１】特開２００２−４６７７８号公報
【特許文献２】特開２００９−２１４９００号公報
【発明の概要】
【発明が解決しようとする課題】
【０００５】
本発明は、緩衝部を有しない包装部材と比較して、被梱包物に加わる外力による衝撃を緩衝することができる包装部材を提供する。
【課題を解決するための手段】
【０００６】
前記課題を解決するために、請求項１記載の包装部材は、
梱包箱に収容された被梱包物に装着されて前記被梱包物に加わる衝撃を緩衝する包装部材であって、
いずれか一方が衝撃を受けない状態で前記被梱包物と一部が接触する状態で配置された第１保持部と、
第２保持部と、
前記第１保持部と前記第２保持部に連結され衝撃が加わった際に変形して衝撃を緩衝する緩衝部と、を備えた、
ことを特徴とする。
【０００７】
請求項２記載の発明は、請求項１に記載の包装部材において、
前記緩衝部は、前記第１保持部と前記第２保持部の間で前記被梱包物の装着方向と平行な方向でかつ前記被梱包物とは逆方向に延びるように設けられている、
ことを特徴とする。
【０００８】
請求項３記載の発明は、請求項２に記載の包装部材において、
前記第１保持部及び前記第２保持部は、それぞれ前記被梱包物の装着方向における端部と向かい合う面を有し、前記緩衝部は前記面を繋ぐように設けられている、
ことを特徴とする。
【０００９】
請求項４記載の発明は、請求項３に記載の包装部材において、
前記緩衝部は、前記面の全体ではなく一部分で接続するように設けられている、
ことを特徴とする。
【００１０】
請求項５記載の発明は、請求項２に記載の包装部材において、
前記第１保持部及び前記第２保持部は、前記被梱包物の装着方向における前記被梱包物の一端との距離が異なるように設けられている、
ことを特徴とする。
【００１１】
請求項６記載の発明は、請求項３に記載の包装部材において、
前記第２の保持部は、前記第１の保持部と比較して前記被梱包物の装着方向と交差する方向において外側を保持する保持部であって、前記第１保持部の前記面は前記被梱包物の装着方向における一端と接触し、前記第２保持部の前記面は前記被梱包物の装着方向における一端と接触していない、
ことを特徴とする。
【００１２】
請求項７記載の発明は、請求項３に記載の包装部材において、
前記第２の保持部は、前記第１の保持部と比較して前記被梱包物の装着方向と交差する方向において外側を保持する保持部であって、前記第２保持部の前記面は前記被梱包物の装着方向における一端と接触し、前記第１保持部の前記面は前記被梱包物の装着方向における一端と接触していない、
ことを特徴とする。
【００１３】
請求項８記載の発明は、請求項１ないし７のいずれか１項に記載の包装部材において、
前記第２の保持部は、前記第１の保持部と比較して前記被梱包物の装着方向と交差する方向において外側を保持する保持部であって、前記第１保持部は前記被梱包物の装着方向と交差する方向で前記被梱包物と接触し、前記第２保持部は前記被梱包物の装着方向と交差する方向で前記被梱包物と接触していない、
ことを特徴とする。
【００１４】
請求項９記載の発明は、請求項１ないし７のいずれか１項に記載の包装部材において、
前記緩衝部は、両端部が前記第１保持部及び第２保持部と接続して前記被梱包物とは反対側に前記被梱包物の装着方向に凸形状のブリッジを形成するように複数設けられている、
ことを特徴とする。
【００１５】
請求項１０記載の発明は、請求項９項に記載の包装部材において、
前記凸状のブリッジは、前記被梱包物の装着方向に屈曲して略Ｕ字状に形成されている、
ことを特徴とする。
【００１６】
請求項１１記載の発明は、請求項１に記載の包装部材において、
前記第２保持部は、その外形部が前記梱包箱の内面と嵌り合い、その中央部で前記被梱包物の装着方向と交差する方向で前記被梱包物と接触し、その外周部に近い側では前記被梱包物の装着方向と交差する方向で前記被梱包物と接触していない、
ことを特徴とする。
【００１７】
請求項１２記載の発明は、請求項１ないし１１のいずれか１項に記載の包装部材において、
前記第１保持部は、前記被梱包物の装着方向と交差する方向に突出して前記被梱包物と接触する突起部を有する、
ことを特徴とする。
【００１８】
請求項１３記載の発明は、請求項１ないし１２のいずれか１項に記載の包装部材において、
前記被梱包物の装着方向の衝撃が加わった際に、前記第１保持部及び前記第２保持部のいずれもが変形することで前記被梱包物に接触する、
ことを特徴とする。
【００１９】
請求項１４記載の発明は、請求項１ないし１２のいずれか１項に記載の包装部材において、
前記被梱包物の装着方向と交差する方向の衝撃が加わった際に、前記第１保持部及び前記第２保持部のいずれもが変形することで前記被梱包物に接触する、
ことを特徴とする。
【００２０】
請求項１５記載の発明は、請求項１ないし１４のいずれか１項に記載の包装部材において、
前記被梱包物は画像形成装置に装着される現像剤収容容器であり、前記第１保持部は、駆動力伝達手段が配置された前記現像剤収容容器の一端側のみを保持するとともに、前記現像剤収容容器の他端側は前記梱包箱で保持する、
ことを特徴とする。
【００２１】
請求項１６記載の発明は、請求項１ないし１５のいずれか１項に記載の包装部材において、
前記第１保持部、前記第２保持部及び前記緩衝部は合成樹脂で一体で形成されている、
ことを特徴とする。
【発明の効果】
【００２２】
請求項１に記載の発明によれば、緩衝部を有しない包装部材と比較して、被梱包物に加わる外力による衝撃を緩衝することができる。
【００２３】
請求項２に記載の発明によれば、被梱包物の着脱方向の衝撃を緩衝することができる。
【００２４】
請求項３に記載の発明によれば、被梱包物の着脱方向の衝撃を受けた際に緩衝部の破損を防止することができる。
【００２５】
請求項４に記載の発明によれば、包装部材を金型を用いて成形する際のバリの発生を抑制することができる。
【００２６】
請求項５に記載の発明によれば、落下した際に被梱包物の衝撃を吸収することができる。
【００２７】
請求項６に記載の発明によれば、第２保持部の面が被梱包物の装着方向における一端と接触している構成と比べて、落下した際に被梱包物の衝撃を吸収することができる。
【００２８】
請求項７に記載の発明によれば、第１保持部の面が被梱包物の装着方向における一端と接触している構成と比べて、落下した際に被梱包物の衝撃を吸収することができる。
【００２９】
請求項８に記載の発明によれば、落下した際に被梱包物の衝撃を吸収することができる。  
【００３０】
請求項９、１０に記載の発明によれば、緩衝部の緩衝機能をより向上させることができる。
【００３１】
請求項１１に記載の発明によれば、被梱包物の装着方向と交差する方向の衝撃を緩衝することができる。
【００３２】
請求項１２に記載の発明によれば、被梱包物が装着されたときに、被梱包物を離脱させにくくすることができる。
【００３３】
請求項１３に記載の発明によれば、被梱包物の装着方向の衝撃を緩衝することができる。
【００３４】
請求項１３に記載の発明によれば、被梱包物の装着方向と交差する方向の衝撃を緩衝することができる。
【００３５】
請求項１５に記載の発明によれば、被梱包物の装着方向における一端側の破損を防止することができる。
【００３６】
請求項１６に記載の発明によれば、樹脂を発泡成形した包装部材に比べて、梱包部材を小型化することができる。
【図面の簡単な説明】
【００３７】
【図１】（ａ）は被梱包物に装着された包装部材の斜視図、（ｂ）は包装部材が装着された現像剤収容容器が梱包箱に収容された状態を示す斜視図である。
【図２】包装部材の外観を示す斜視図である。
【図３】現像剤収容容器が装着された包装部材を示す断面模式図である。
【図４】（ａ）は包装部材の現像剤収容容器の装着側と反対側の平面図、（ｂ）は側面図である。
【図５】（ａ）は包装部材の現像剤収容容器の装着側の平面図、（ｂ）は（ａ）におけるＡ−Ａ断面の緩衝部を省略した要部断面模式図である。
【図６】緩衝部の形状を示す図である。
【図７】緩衝部の第１保持部及び第２保持部との接続構造を説明する図である。
【図８】包装部材が装着された現像剤収容容器が梱包箱に収容された状態を示す平面図である。
【図９】現像剤収容容器の装着部が装着された包装部材を示す断面模式図である。
【図１０】（ａ）は現像剤収容容器の装着方向に衝撃が加わった際の包装部材による緩衝を説明する図、（ｂ）は現像剤収容容器の装着方向と交差する方向に衝撃が加わった際の包装部材による緩衝を説明する図である。
【図１１】現像剤収容容器の装着部が装着された変形例１に係る包装部材を示す断面模式図である。
【図１２】現像剤収容容器の装着方向に衝撃が加わった際の変形例１に係る包装部材による緩衝を説明する図である。
【図１３】現像剤収容容器の装着部が装着された変形例２に係る包装部材を示す断面模式図である。
【図１４】現像剤収容容器の装着部が装着された変形例３に係る包装部材を示す断面模式図である。
【発明を実施するための形態】
【００３８】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００３９】
「実施形態」
（１）包装部材の構成
図１（ａ）は現像剤収容容器２に装着された包装部材１の斜視図、（ｂ）は包装部材１が装着された現像剤収容容器２が梱包箱３に収容された状態を示す斜視図、図２は包装部材１の外観を示す斜視図、図３は現像剤収容容器２が装着された包装部材１を示す断面模式図、図４（ａ）は包装部材１の現像剤収容容器２の装着側と反対側の平面図、（ｂ）は側面図、図５（ａ）は包装部材１の現像剤収容容器２の装着側の平面図、（ｂ）は（ａ）におけるＡ−Ａ断面の緩衝部１３を省略した要部断面模式図、図６は緩衝部１３の形状を示す図、図７は緩衝部１３の第１保持部１１及び第２保持部１２との接続構造を説明する図である。
以下、図面を参照しながら包装部材１の構成について説明する。
【００４０】
（１．１）包装部材の全体構成
図１（梱包箱を半透明で示す）に示すように、包装部材１は、被梱包物の一例である現像剤収容容器２に装着され、梱包箱３内において現像剤収容容器２の位置を固定するものである。
梱包箱３の内部では、包装部材１は、現像剤収容容器２と梱包箱３との間に位置し、梱包箱３が外部から受ける衝撃を緩衝して現像剤収容容器２を保護する。
【００４１】
現像剤収容容器２は、特定の色の現像剤（キャリアを含むトナー）を内部に収容する円筒状の容器であり、一方の先端付近には包装部材１が装着される装着部２１を有している。装着部２１は全体が筒状体として形成され、装着部２１の中央部には装着される画像形成装置から回転駆動の伝達を受けるカップリング２２（図３  参照）が設けられ、カップリング２２を囲うように突出した筒状の突出壁２１１が形成されている。装着部２１の外周側には、現像剤の排出口と排出口を開閉するシャッタ装置（不図示）が設けられている。また、装着部２１の外周側の一部には、記憶媒体（メモリ：不図示）が設けられている。このメモリは、現像剤収容容器２が装着された画像形成装置によって情報の読み書きがなされ、現像剤収容容器２の識別情報や使用履歴及び現像剤の残量に関する情報などを記憶する。
【００４２】
現像剤収容容器２は、画像形成装置（不図示）に着脱自在に構成されており、画像形成装置に装着されて画像形成が実行されたときには、画像形成を行う現像装置（不図示）に現像剤を排出する。現像剤収容容器２に収容された現像剤が消費されて空になったときには、利用者によって画像形成装置から取り外されて新品のものと交換される。
このとき、利用者は、包装部材１に装着された新品の現像剤収容容器２を梱包箱３から取り出し、包装部材１を取り外す。そして、利用者は、現像剤収容容器２を画像形成装置に装着し、図１に示すように、画像形成装置から取り外した使用済みの現像剤収容容器２に包装部材１を装着（図１（ａ）中  矢印Ｒ１参照）して、梱包箱３に収納（図１（ｂ）中  矢印Ｒ２参照）する。  
【００４３】
（１．２）包装部材の構成
包装部材１の構成は、第１保持部１１と、第２保持部１２と、緩衝部１３とに大別される。第１保持部１１は、包装部材１の中央部に形成された部位であり、現像剤収容容器２の装着部２１のカップリング２２の周囲（図３  参照）を保持する。第２保持部１２は、第１保持部１１の外側（Ｘ、Ｙ方向）に形成された部位であり、外形部（外面１２２ａ）が梱包箱３の内面と嵌り合うことで包装部材１が梱包箱３に固定される。緩衝部１３は、第１保持部１１と第２保持部１２に連結された部位であり、衝撃が加わった際に変形して衝撃を緩衝する。
【００４４】
第１保持部１１は、図４、図５に示すように、包装部材１の中央部に全体が平面視で円形の筒状体として形成されている。具体的には、平面視で円形の基部１１１と、全体が筒状で基部１１１のＸ−Ｙ方向における内側からＺ方向に突出する第１突出部１１２、第１突出部１１２と相対して基部１１１のＸ−Ｙ方向における外側から突出する第２突出部１１３から構成されている。
【００４５】
図５（ａ）に示すように、第１突出部１１２は、その側壁から外側に向かって突き出た凸部１１２ａを有し、第２突出部１１３は、その側壁から内側に向かって突き出た凸部１１３ａを有している。これにより、包装部材１に現像剤収容容器２の装着部２１が装着されたときに、突出壁２１１が厚み方向（Ｘ−Ｙ方向）において凸部１１２ａと凸部１１３ａとに挟み込まれ、現像剤収容容器２が離脱しにくくなる。
【００４６】
第２保持部１２は、図４、図５に示すように、包装部材１の周辺部に外側が平面視で矩形で内側が平面視で円形の枠体として形成されている。具体的には、基部１２１と、基部１２１のＸ−Ｙ方向における外縁からＺ方向に突出する第３突出部１２２と、基部１２１のＸ−Ｙ方向における内縁からＺ方向に突出する第４突出部１２３とから構成されている。また、第３突出部１２２と第４突出部１２３とは必要に応じて複数の補強リブ１２４で補強されている。
第３突出部１２２の外面１２２ａは包装部材１の外形部を構成し、現像剤収容容器２が装着された包装部材１が梱包箱３に収容された状態で、第３突出部１２２の外面１２２ａが梱包箱３の内面と嵌り合うことで、梱包箱３内で現像剤収容容器２の装着方向と交差する方向が固定される。
【００４７】
このように構成される第１保持部１１及び第２保持部１２は、それぞれの基部１１１、１２１が現像剤収容容器２が装着される側に、それぞれ面１１１ａ、１２１ａを有している。第１保持部１１の基部１１１の面１１１ａと、第２保持部１２の基部１２１の面１２１ａは、現像剤収容容器２の装着方向（Ｚ方向）において、それぞれ高さが異なり（図５（ｂ）中  Ｈ１参照）、現像剤収容容器２が装着された際に、突出壁２１１の先端部２１１ａ及び装着部２１の先端部２１ａ（図８  参照）との距離が異なるように構成されている。この理由については後述する。
【００４８】
緩衝部１３は、第１保持部１１と第２保持部１２を繋ぐブリッジとして複数本設けられている。具体的には、図４、図５に示すように、それぞれの緩衝部１３は、一端部１３ａが第１保持部１１の基部１１１の外側端部１１１ｂと接続し、他端部１３ｂが第２保持部１２の基部１２１の内側端部１２１ｂと接続し、装着される現像剤収容容器２とは反対側に現像剤収容容器２の装着方向（Ｚ方向）に凸形状のブリッジを形成するように設けられている。
【００４９】
このように、第１保持部１１と第２保持部１２が複数の緩衝部１３で連結されることで、第１保持部１１又は第２保持部１２のいずれかが現像剤収容容器２の装着方向（Ｚ方向）の衝撃を受けた際に、緩衝部１３を介して第１保持部１１と第２保持部１２が互いに相対移動して加わった衝撃を緩衝することができる。
緩衝部１３の凸形状としては、図６（ａ）に示す矩形状、図６（ｂ）に示す台形状、図６（ｃ）に示す略Ｕ字形状が挙げられる。これらの凸形状のなかでは、衝撃の緩衝作用として、矩形状よりも台形状が好ましく、略Ｕ字形状がより好ましい。
【００５０】
緩衝部１３は、本実施形態においては、図４、図５等に示すように、第１保持部１１と第２保持部１２とを繋ぐように、放射状に１２本形成されているが、装着される現像剤収容容器２の大きさ、重量等に応じて、梱包箱３に収容されて落下した場合の衝撃を緩衝できる本数を選択することができる。
【００５１】
このように構成される包装部材１は、合成樹脂を用いて射出成形によって第１保持部１１、第２保持部１２及び複数の緩衝部１３が一体として形成される。合成樹脂としては、とくに限定されないが、衝撃が加わった際に破損せず、高い衝撃の緩衝作用を発揮できる観点から、本実施形態においてはＬＤＰＥ（低密度ポリエチレン）が用いられている。
また、金型を用いた射出成形によるバリの発生を抑制する観点から、図７に示すように、緩衝部１３は、一端部１３ａが第１保持部１１の基部１１１の外側端部１１１ｂと接続し、他端部１３ｂが第２保持部１２の基部１２１の内側端部１２１ｂと接続するように形成されることが好ましい。これにより、いわゆる押し切り構造の金型において、基部１１１の外側端部１１１ｂ及び基部１２１の内側端部１２１ｂに発生するバリを抑制することができる。
【００５２】
（２）包装部材の装着
図８は包装部材１が装着された現像剤収容容器２が梱包箱３に収容された状態を示す平面図、図９は現像剤収容容器２の装着部２１が装着された包装部材１を示す断面模式図、図１０（ａ）は現像剤収容容器２の装着方向に衝撃が加わった際の包装部材１による緩衝を説明する図、（ｂ）は現像剤収容容器２の装着方向と交差する方向に衝撃が加わった際の包装部材１による緩衝を説明する図である。以下、図面を参照しながら衝撃が加わった際の包装部材１の緩衝作用について説明する。
【００５３】
図８に示すように、現像剤収容容器２は装着部２１に包装部材１が装着されて梱包箱３に収容される。梱包箱３に収容された現像剤収容容器２は、包装部材１の装着方向と交差する方向（Ｘ−Ｙ方向）が包装部材１の第２保持部１２の外面１２２ａが梱包箱３の内面３ａと嵌り合うことで固定される。また、包装部材１の装着方向（Ｚ方向）は、一端が緩衝部１３が梱包箱３の底面３ｂと接することで固定され、他端は梱包箱３の他の底面３ｃが接することで固定される。
【００５４】
現像剤収容容器２の装着部２１は、図９に示すように、現像剤収容容器２の装着方向において、第１保持部１１が基部１１１の面１１１ａで装着部２１の突出壁２１１の先端部２１１ａと接する。また、装着部２１の突出壁２１１が第１保持部１１の第１突出部１１２の凸部１１２ａ及び第２突出部１１３の凸部１１３ａとで挟み込まれて位置決めされる。
【００５５】
第２保持部１２は基部１２１の面１２１ａが現像剤収容容器２の装着部２１の先端部２１ａとは接触しないように間隙Ｇ１を保持している。また、装着部２１の外側面２１ｂは第２保持部１２の第４突出部１２３とは接触しないように間隙Ｇ２を保持している。そして、第３突出部１２２の外面１２２ａが梱包箱３の内面３ａと嵌り合うことで、梱包箱３内で現像剤収容容器２の装着方向と交差する方向（Ｘ−Ｙ方向）が固定されている。
【００５６】
このように包装部材１が装着された現像剤収容容器２を収容する梱包箱３が落下して現像剤収容容器２に衝撃が加わったときには、包装部材１の緩衝部１３が変形することで衝撃を緩衝する。
【００５７】
現像剤収容容器２の装着方向（Ｚ方向）の衝撃が加わったときは、図１０（ａ）に示すように、第１保持部１１が基部１１１の面１１１ａで装着部２１の突出壁２１１の先端部２１１ａと当接した状態で、緩衝部１３が変形することで現像剤収容容器２が落下方向に移動して衝撃が吸収される。第２保持部１２の基部１２１の面１２１ａは、現像剤収容容器２が落下方向に移動して装着部２１の先端部２１ａとの間隙Ｇ１がｇ１に狭まるが、当接することはない。
すなわち、第１保持部１１と第２保持部１２が緩衝部１３を介して衝撃方向（Ｚ方向）に相対的に移動することで現像剤収容容器２の装着方向（Ｚ方向）の衝撃を緩衝することができる。尚、緩衝部１３の変形は、現像剤収容容器２の重量に応じてその本数を決定することで塑性変形ではなく弾性変形とすることができる。
【００５８】
現像剤収容容器２の装着方向と交差する方向（Ｘ−Ｙ方向）の衝撃が加わったときは、図１０（ｂ）に示すように、装着部２１の突出壁２１１が第１保持部１１の第１突出部１１２及び第２突出部１１３とで挟み込まれてＸ−Ｙ方向が固定された状態で、緩衝部１３が変形することで現像剤収容容器２が落下方向（Ｘ−Ｙ方向）に移動して衝撃が吸収される。第２保持部１２の第４突出部１２３と装着部２１の外側面２１ｂは間隙Ｇ２がｇ２に狭まるが当接することはない。
すなわち、第１保持部１１と第２保持部１２が緩衝部１３を介して衝撃方向（Ｘ−Ｙ方向）に相対移動することで現像剤収容容器２の装着方向と交差する方向（Ｘ−Ｙ方向）の衝撃を緩衝することができる。
【００５９】
「変形例１」
図１１は現像剤収容容器２の装着部２１が装着された変形例１に係る包装部材１Ａを示す断面模式図、図１２は現像剤収容容器２の装着方向に衝撃が加わった際の包装部材１Ａによる緩衝を説明する図である。
変形例１に係る包装部材１Ａは、第１保持部１１Ａの基部１１１Ａの面１１１Ａａと、第２保持部１２Ａの基部１２１Ａの面１２１Ａａは、現像剤収容容器２の装着方向（Ｚ方向）において、それぞれ高さが異なるように構成されている。
【００６０】
具体的には、第１保持部１１Ａは基部１１１Ａの面１１１Ａａが装着部２１の突出壁２１１の先端部２１１ａとは接触しないように間隙Ｇ１を保持している。そして、装着部２１の突出壁２１１が第１保持部１１Ａの第１突出部１１２Ａの凸部１１２Ａａ及び第２突出部１１３Ａの凸部１１３Ａａとで挟み込まれて現像剤収容容器２の装着方向と交差する方向（Ｘ−Ｙ方向）が位置決めされる。
【００６１】
第２保持部１２Ａは基部１２１Ａの面１２１Ａａが現像剤収容容器２の装着部２１の先端部２１ａと接する。また、装着部２１の外側面２１ｂは第２保持部１２Ａの第４突出部１２３Ａとは接触しないように間隙Ｇ２を保持している。そして、第１保持部１１Ａと第２保持部１２Ａが緩衝部１３で繋がっている。
【００６２】
このように構成される包装部材１Ａが装着された現像剤収容容器２の装着方向（Ｚ方向）の衝撃が加わったときは、図１２に示すように、第２保持部１２Ａが基部１２１Ａの面１２１Ａａで装着部２１の先端部２１ａと当接した状態で、緩衝部１３が変形することで現像剤収容容器２が落下方向に移動して衝撃が吸収される。第１保持部１１Ａの基部１１１Ａの面１１１Ａａは、現像剤収容容器２が落下方向に移動して装着部２１の突出壁２１１の先端部２１１ａとの間隙Ｇ１がｇ１に狭まるが当接することはない。
すなわち、第１保持部１１と第２保持部１２が緩衝部１３を介して衝撃方向（Ｚ方向）に相対的に移動することで現像剤収容容器２の装着方向（Ｚ方向）の衝撃を緩衝することができる。
【００６３】
現像剤収容容器２の装着方向と交差する方向（Ｘ−Ｙ方向）の衝撃が加わったとき（図１０（ｂ）と同様）は、装着部２１の突出壁２１１が第１保持部１１Ａの第１突出部１１２Ａ及び第２突出部１１３Ａとで挟み込まれてＸ−Ｙ方向が固定された状態で、緩衝部１３が変形することで現像剤収容容器２が落下方向（Ｘ−Ｙ方向）に移動して衝撃が吸収される。
第２保持部１２Ａの第４突出部１２３Ａと装着部２１の外側面２１ｂは間隙Ｇ２がｇ２に狭まる（図１０（ｂ）  参照））が当接することはなく、第１保持部１１と第２保持部１２が緩衝部１３を介して衝撃方向（Ｘ−Ｙ方向）に相対移動することで現像剤収容容器２の装着方向と交差する方向（Ｘ−Ｙ方向）の衝撃を緩衝することができる。
【００６４】
「変形例２」
図１３は現像剤収容容器２の装着部２１Ａが装着された変形例２に係る包装部材１Ｂを示す断面模式図である。変形例２に係る包装部材１Ｂは、装着される現像剤収容容器２の装着部２１Ａの中央部に有する突出壁２１１Ａの形状に合わせて構成してもよい。
【００６５】
図１３に示すように、包装部材１Ｂの第１保持部１１Ｂは、基部１１１ＢのＸ−Ｙ方向における外側からＺ方向に突出する第１突出部１１２Ｂが形成されている。
装着される現像剤収容容器２の装着部２１Ａの突出壁２１１Ａの内側に大径のカップリング２２Ａが配置され、第１突出部１１２Ｂが突出壁２１１Ａの内側空間Ｓに進入できない場合、包装部材１Ｂの第１保持部１１Ｂは、突出壁２１１Ａの外側面２１１Ａｂと接して装着部２１Ａを保持する。
【００６６】
包装部材１Ｂにおいては、現像剤収容容器２の装着方向（Ｚ方向）の衝撃が加わったときは、第１保持部１１Ｂが基部１１１Ｂの面１１１Ｂａで装着部２１Ａの突出壁２１１Ａの先端部２１１Ａａと当接した状態で、緩衝部１３Ｂが変形することで衝撃が吸収される。
また、現像剤収容容器２の装着方向と交差する方向（Ｘ−Ｙ方向）の衝撃が加わったときは、突出壁２１１Ａの外側面２１１Ａｂが第１保持部１１Ｂの第１突出部１１２Ｂと接触してＸ−Ｙ方向が固定された状態で、緩衝部１３Ｂが変形することで衝撃が吸収される。
【００６７】
「変形例３」
図１４は現像剤収容容器２の装着部２１Ｂが装着された変形例３に係る包装部材１Ｃを示す断面模式図である。
図１４に示すように、包装部材１Ｃの第１保持部１１Ｃは、基部１１１ＣのＸ−Ｙ方向における内側からＺ方向に突出する第１突出部１１２Ｃが形成されている。
装着される現像剤収容容器２の装着部２１Ｂの突出壁２１１Ｂの内側に小径のカップリング２２Ｂが配置されている場合、包装部材１Ｃの第１保持部１１Ｃは、第１突出部１１２Ｂが突出壁２１１Ｂの内側空間Ｓに進入して突出壁２１１Ｂの内側面２１１Ｂｂと接して装着部２１Ｂを保持する。
【００６８】
包装部材１Ｃにおいては、現像剤収容容器２の装着方向（Ｚ方向）の衝撃が加わったときは、第１保持部１１Ｃが基部１１１Ｃの面１１１Ｃａで装着部２１Ｂの突出壁２１１Ｂの先端部２１１Ｂａと当接した状態で、緩衝部１３Ｃが変形することで衝撃が吸収される。
また、現像剤収容容器２の装着方向と交差する方向（Ｘ−Ｙ方向）の衝撃が加わったときは、突出壁２１１Ｂの内側面２１１Ｂｂが第１保持部１１Ｂの第１突出部１１２Ｃと接触してＸ−Ｙ方向が固定された状態で、緩衝部１３Ｃが変形することで衝撃が吸収される。
【００６９】
本実施形態においては、被梱包物の一例として現像剤収容容器２を挙げて説明したが、被梱包物として包装部材１が固定するものは現像剤収容容器２に限らない。被梱包物の先端に筒状体が形成され、この筒状体に包装部材を装着する構成であればよい。
また、上述した実施形態における第１保持部１１及び第２保持部１２を繋ぐ緩衝部１３は、複数の凸形状のブリッジに限られず、第１保持部１１、第２保持部１２に比べて外力による衝撃で変形可能な態様であればよく、例えば全体が膜形状であってもよい。
【符号の説明】
【００７０】
１、１Ａ、１Ｂ、１Ｃ・・・包装部材
１１、１１Ａ、１１Ｂ、１１Ｃ・・・第１保持部
１１１ａ、１１１Ａａ、１１１Ｂａ、１１１Ｃａ・・・基部の面
１１２・・・第１突出部
１１３・・・第２突出部
１２、１２Ａ・・・第２保持部
１２１ａ、１２１Ａａ・・・基部の面
１２２・・・第３突出部
１２３・・・第４突出部
２・・・現像剤収容容器
２１、２１Ａ、２１Ｂ・・・装着部
２２、２２Ａ、２２Ｂ・・・カップリング
３・・・梱包箱
【図１】
2019089590.tif 000003
【図２】
2019089590.tif 000004
【図３】
2019089590.tif 000005
【図４】
2019089590.tif 000006
【図５】
2019089590.tif 000007
【図６】
2019089590.tif 000008
【図７】
2019089590.tif 000009
【図８】
2019089590.tif 000010
【図９】
2019089590.tif 000011
【図１０】
2019089590.tif 000012
【図１１】
2019089590.tif 000013
【図１２】
2019089590.tif 000014
【図１３】
2019089590.tif 000015
【図１４】
2019089590.tif 000016